(57)【特許請求の範囲】
【請求項１】
表面に積雪されるドーム面を有し、該ドーム面上の雪を摺擦することで、雪同士の付着力を減少させるドーム除雪装置において、
前記ドーム面上に摺擦部材を配置し、前記摺擦部材をその延設方向に往復移動させて雪を摺擦するとともに、前記摺擦部材は、前記ドーム面上に螺旋状に配置したことを特徴とするドーム除雪装置。
【請求項２】
表面に積雪されるドーム面を有し、該ドーム面上の雪を摺擦することで、雪同士の付着力を減少させるドーム除雪装置において、
前記ドーム面上に摺擦部材を配置し、前記摺擦部材をその延設方向に往復移動させて雪を摺擦するとともに、前記摺擦部材は、前記外面を下方から上方に向かって巻回されるとともに、その先端部はドームの外から内部を通って下方においてドーム外部に連絡していることを特徴とするドーム除雪装置。
【請求項３】
表面に積雪されるドーム面を有し、該ドーム面を形成する部材を振動させてドーム面の除雪を行う請求項１若しくは２記載のドーム除雪装置において、
前記ドーム面を緩傾斜面と急傾斜面が適宜連絡する傾斜面に形成するとともに、前記ドーム面のうち緩傾斜面部位を振動させる起振手段を前記ドーム面の内側に取り付けるとともに、前記ドーム面上に地上支持部より往復動させる摺動部材を配置し、前記ドーム面上方部分を前記起振手段の振動により、又下方部分を前記摺動部材により摺擦させて雪を除雪させることを特徴とするドーム除雪装置。
【発明の詳細な説明】
【０００１】
【発明の属する技術分野】
本発明は、積雪が可能な大気仕切面であるドーム面を有し、該ドーム面を形成する部材を振動させて、または、該面上の雪を摺擦することで、該外面と雪との付着力を減少、または切断させるドーム除雪装置に関する。
【０００２】
【従来の技術】
積雪の深い寒冷地においては、積雪に対しては深刻な問題を有している。特に、夜間において積雪した冠雪が落下して通行人もしくは車両等に衝突して障害を与える場合がある。
よって、通行人もしくは車両等より高い位置にある高速道路、高層建築物等においては種々の対策が必要とされる。
【０００３】
従来より、積雪可能な外面を頂角を９０゜とする屋根型に形成することはよく知られている。この外面は雪が自然落下するので冠雪となる率が少ない形状である。しかしながら、これとて完全ではなく、雪が湿っていたり、日中の太陽熱により雪が溶融し、それが夜間に凍結したり、太陽が当たらない部分においては冠雪となる。
【０００４】
また、橋梁等を屋根型形状に形成し、エアーを吹き出したり、振動モータを鉄骨材上に配置し、その鉄骨材に屋根型形状鉄板を配置し、鉄骨材を介して前記屋根型鉄板を振動させて冠雪を防止する技術も知られている。
しかしながら、エアーを吹き付ける場合は、大型のコンプレッサを必要とし、騒音が発生するという問題がある。
また、外面を屋根型にして鉄骨に振動モータを取り付ける場合は、被取付物の振動応力による振幅に許容幅が少なく、大型建造物の場合は疲労破壊を考えると好ましいものではない。
【０００５】
【発明が解決しようとする課題】
上述の事情に鑑み、本発明は、冠雪を防止可能なドーム面の除雪装置を提供することを目的とする。
また、本発明の他の目的は、振動モータを用いた大型建造物においても容易に冠雪を防止可能なドーム除雪装置を提供することである。
【０００６】
【課題を解決するための手段】
本第１発明は、表面に積雪されるドーム面を有し、該ドーム面上の雪を摺擦することで、雪同士の付着力を減少させるドーム除雪装置において、
前記ドーム面上に摺擦部材を配置し、前記摺擦部材をその延設方向に往復移動させて雪を摺擦するとともに、前記摺擦部材は、前記ドーム面上に螺旋状に配置したことを特徴とする。
【０００７】
ここでドーム面とは、狭い意味でのドーム型のみならずカマボコ型や前記ドーム面を緩傾斜面と急傾斜面が適宜連絡する傾斜面に形成するものも含む。
また、前記「ドーム面」を形成するものは、金属板であっても、布状物であってもよい。
【０００８】
本第２発明は、表面に積雪されるドーム面を有し、該ドーム面上の雪を摺擦することで、雪同士の付着力を減少させるドーム除雪装置において、
前記ドーム面上に摺擦部材を配置し、前記摺擦部材をその延設方向に往復移動させて雪を摺擦するとともに、前記摺擦部材は、前記外面を下方から上方に向かって巻回されるとともに、その先端部はドームの外から内部を通って下方においてドーム外部に連絡していることを特徴とする。
又、第3発明は、表面に積雪されるドーム面を有し、該ドーム面を形成する部材を振動させてドーム面の除雪を行う前記第１若しくは第２の発明のドーム除雪装置において、
前記ドーム面を緩傾斜面と急傾斜面が適宜連絡する傾斜面に形成するとともに、前記ドーム面のうち緩傾斜面部位を振動させる起振手段を前記ドーム面の内側に取り付けるとともに、前記ドーム面上に地上支持部より往復動させる摺動部材を配置し、前記ドーム面上方部分を前記起振手段の振動により、又下方部分を前記摺動部材により摺擦させて雪を除雪させることを特徴とする。
ここにおいて、「起振手段」とは、起振機、もしくは振動モータ、または回転方向を直線の往復運動に変換可能なモータを用いた手段等を意味する。また、振動モータで構成される起振手段を保持可能な強度と耐久性を有するものであれば、金属板単体であってもよいが、後述するように、金属板もしくは布状物をケーブルで内部から保持し、該ケーブルに前記起振手段を取り付けることで前記ドーム面とは反対側に起振手段を取付ることができる。
【０００９】
かかる発明によると、急傾斜面に降る雪はその傾斜面により自然落下するが、緩傾斜面に降った雪は起振手段の振動により前記ドーム面が振動し、該面と雪との付着力を減少させ、急傾斜面の方向に雪を放出することができる。
【００１０】
また、前記ドーム面の下側を急傾斜面とし、上側を緩傾斜面として構成することができ、この場合は、上側が緩傾斜面であることにより、建造物の高さを高くしなくても前記ドーム面下の必要容積を得ることができるとともに、上側の緩傾斜面部分に配置される起振手段により放出される雪は、急傾斜面より高い位置から放出されるので、放出力に重力が加わりより容易に除雪される。
【００１１】
また、勾配２０゜未満の前記緩傾斜面に前記起振手段と連結したり、
また、前記起振手段は、起振点の接線方向に、積雪との初期摩擦力以上の加振力が付与されるように構成したり、
また、前記起振手段は、起振点の接線方向より外方に起振ベクトル加振力が発生するように構成することが好ましい。
【００１２】
また、前記起振手段は、振動モータを用い低振動数にて前記ドーム面に共振振動を与えて前記ドーム面と雪との付着を切断した後に、起振ベクトル加振力が発生するように振動数を上げるように構成することも本発明の有効な手段である。
【００１３】
かかる技術手段によると、まず低振動数にて前記ドーム面を振動させると、前記ドーム面を形成する部材が共振を起こすことにより前記ドーム面に付着する雪を面上から容易に剥することができる。しかる後に、振動数を上げて発生する起振ベクトル加振力により雪を放出するので、面上から雪を剥離後短時間で雪を除去できる。よって、総合的に容易にかつ短時間で冠雪を剥離して除雪を行うことができる。
【００１４】
また、前記起振手段は、前記緩傾斜面を形成する部位と連結する取付手段と、一端に係合手段を有した紐状物とを備え、
該紐状物を前記取付手段に支持し、前記係合手段を引張・離間することで前記緩傾斜面を振動させるように構成することも本発明の有効な手段である。
【００１５】
ここにおいて、前記「取付手段」とは、例えば、図５に示すような取付リング１５を有する部材を意味するが、必ずしもこれに限定されるものではなく、紐状物（ロープ１６）の途中部分（図５（ｂ））を保持できるものであれば、フックを有していても、プーリであっても、各種の継手であってもよい。
【００１６】
また、前記「係合手段」とは、例えば、図５に示すような取付片１９を意味するが、必ずしもこれに限定されるものではなく、所定振幅で往復動する装置２０Ａの相手方係合物に係合可能な各種の継手であってもよい。
【００１７】
かかる技術手段によると、前記係合手段を引張・離間することで、前記取付手段を介して前記ドーム面を振動させることができ、前記ドーム面に付着する雪を面上から剥することができるとともに、振動により発生する起振ベクトル加振力により雪を放出し、除雪を行うことができる。
【００１８】
また、前記取付手段には、前記紐状物が摺動可能な空隙孔を有するとともに、前記紐状物は前記空隙孔に保持され、前記紐状物の他端は前記紐状物の引張・繰出手段を有し、除雪を行わない場合は前記引張・繰出手段により前記紐状物を引張して、前記係合手段を宙吊り状態で前記紐状物を保管可能に構成することも、本発明の有効な手段である。
かかる技術手段によると、除雪を行わない場合は、前記ドーム面を形成する部材の内側に容易に保管することができる。
【００１９】
【００２０】
本発明は、複数の取付手段のうち少なくとも一の取付手段を紐状物によって必ず振動することができる。
すなわち、例えば、図６（ａ）に示すように、第１取付手段（３３Ａ側）が紐状物（ロープ１６）の一端の係合し、前記紐状物（ロープ１６）の他端を、前記ドーム面を形成する部材の下方内側（２０Ｂ側）に配置することにより、前記紐状物は前記第２取付手段の貫通孔に摺動自在に挿入されているので、前記第１取付手段側のドーム面を振動させるに適した角度位置から、前記第１取付手段（３３Ａ側）を振動させることができる。
【００２１】
また、例えば、図６（ｂ）に示すように、前記外面を形成する部材の下方内側に往復運動部材を有した排出・引張手段２０Ｂを備え、前記紐状物の他端に、前記往復運動部材（ピン２２）と係脱可能な係合手段１９を配設することにより、可動式の排出・引張手段（２０Ａ）を適した角度位置に置くことにより、第１取付手段（３３Ａ側）とともに、第２取付手段（３３Ｂ側）を共に振動することができる。
【００２２】
よって、本発明は、前記紐状物の他端を引いたり離したりすることで、前記取付手段を介して前記ドーム面を振動させることができ、前記ドーム面に付着する雪を面上から剥することができるとともに、振動により発生する起振ベクトル加振力により雪を放出し、除雪を行うことができる。
【００２３】
また、前記外面を形成する部材をケーブルにて保持するとともに、該ケーブルに前記起振手段を連結して構成することも本発明の有効な手段である。
かかる技術手段によると、ドーム面を形成する部材をケーブルに取付ているので、前記ドーム面は、該面で構成される建造物の強度を補償する必要はなく、また、起振手段の振動による応力に耐える必要はなく、強度は弱いものでよい。
そして、ケーブルによって建造物を構成するので、全域に亙ってケーブルによって編み目状に空間を形成して構成されるので、鉄板によって全域を外部と遮断されることがないので、強度が大きい材料を多量に用いることがなく、隣合うケーブル間の空間は前記外面を形成する部材で塞げばよいので、前記外面に対して設計の自由度が増す。
【００２４】
また、前記ドーム面上に摺擦部材を配置し、前記摺擦部材を、その延設方向の往復移動させて雪を摺擦する場合に、前記摺擦部材を、前記外面上に螺旋状に配置して構成することも本発明の有効な手段である。
【００２５】
本発明は、積雪した雪層を前記摺擦部材によって、該摺擦部材の延設方向にそって往復動して摺擦するので、雪同士の付着力をよく減少させ、自然落下を促進させることができる。
【００２６】
また、前記ドーム面はドーム状に形成され、前記摺擦部材は、前記外面を下方から上方に向かって巻回されるとともに、その先端部はドームの外から内部を通って下方においてドーム外部に連絡するように構成することも本発明の有効な手段である。
かかる技術手段によると、簡単な構成で摺擦の方向変換の程度を大きくしないで、摺擦をドーム状外面に配置することができる。
【００２７】
また、前記外面をケーブルにて保持するとともに、該ケーブルに前記ガイド部材を取付ることが好ましく、外面を形成部材をケーブルに取付ているので、前記外面は、該外面で構成される建造物の強度を補償する必要はなく、また、起振機の振動による応力に耐える必要はなく、強度は弱いものでよい。
そして、ケーブルによって建造物を構成するので、全域に亙ってケーブルによって編み目状に空間を形成して構成されるので、鉄板によって全域を外部と遮断されることがないので、強度が大きい材料を多量に用いることがなく、隣合うケーブル間の空間は前記外面を形成する部材で塞げばよいので、前記外面に対して設計の自由度が増す。
【００２８】
【００２９】
本発明は、前記ドーム面の上方部分を前記起振手段の振動により、下方部分を前記摺擦部材の前記ドーム面上での往復移動により、雪の付着力を減少させるので、冠雪の除雪をより容易に行うことができる。
尚、本発明においても、前記ドーム面をケーブルにて保持させ、該ケーブルに前記起振手段を連結して構成することができる。
【００３０】
【発明の実施の形態】
以下、図面を参照して本発明の好適な実施の形態を例示的に詳しく説明する。但しこの実施の形態に記載されている構成部品の寸法、材質、形状、その相対的配置等は特に特定的な記載がないかぎりは、この発明の範囲をそれに限定する趣旨ではなく、単なる説明例にすぎない。
【００３１】
図１は、本発明に係る第１実施の形態を示すドーム装置の外観図、図２は、ドーム装置を構成するケーブルの取り付ける膜及び起振機の取付構成図、図３（ａ）は、図２のＣ−Ｃ断面図、図３（ｂ）は（ａ）の起振機の左側面図、図３（ｃ）は（ａ）の起振機の右側面図、図４は、起振機の動作を説明する説明図、図５は、本発明に係る第２実施の形態を示すドーム装置の外観模式図、図６（ａ）は、本発明に係る第３実施の形態を示すドーム装置の外観模式図、図６（ｂ）は、本発明に係る第４実施の形態を示すドーム装置の外観模式図、図７は、本発明に係る第５実施の形態を示すドーム装置の外観図、図８は、図７の平面模式図、図９は、本発明に係る第６実施の形態を示すドーム装置の外観図である。
【００３２】
図１は、本発明に係る第１実施の形態を示すドーム装置の外観図であり、ドーム１は縁１Ａａを有する左ドーム機構１Ａと縁１Ｂａを有する右ドーム機構１Ｂは支点４を中心に図示しない装置で矢印３５方向に開閉可能に構成されている。
ドーム屋根の勾配はＡ方向に向かうに連れて２０゜より減少し、Ｂ方向に向かうに連れて２０゜以上に増加するように、縦ケーブル３Ａと横ケーブル３Ｂとにより骨組みが形成され、該骨組みに後述する本体膜が取付られて構成される。
【００３３】
図２及び図３は、ドーム装置を構成するケーブルの取り付ける膜及び起振機の取付構成図であり、これらの図において、縦ケーブル３Ａには、先ず横ケーブル３Ｂとは外れた位置に起振機取付板１３が本体膜６を挟んでＵボルト１２Ａ、１２Ａによって取付られている。
引込布取付板８を挟んで起振機２がボルト及びナットにより起振機取付板１３に取付られ、該起振機取付板１３の両サイドは引込布７により本体膜６と一体に織り込まれている。
【００３４】
起振機２は単相誘導モータで構成された振動モータであって、回転軸２ａの両側には該回転軸２ａと半径方向に非対称に一方側にウエイト９Ａ、９Ｂが取付られ、図示しないインバータにより回転数が変換可能に構成されている。
起振機２が低周波回転すると、図４に示すように膜面方向に対して法線方向に起振機２が遠心力が発生し、ケーブル３Ａの固有振動数と共振することにより大きく振動する。この振動はフラップ膜５及び本体膜６を振動させ、さらにこの屋根膜の固有振動数に共振し、膜はさらに大きく振動し、これらの膜に付着した冠雪の膜との付着力は減少し、やがて冠雪は付着状態を脱して膜面上に浮遊状態となる。
【００３５】
実際的には、起振機はインバータにより振動数０〜１０Ｈｚで連続的に回転数を変化させて駆動し、共振振幅により膜面と雪との付着を切る。
次ぎに、起振機２の回転数を上げ、５０Ｈｚの定格回転振動を与えると、法線方向と膜面方向と４５゜の角度方向に加速度ａを有する合成ベクトルの摩擦力を越える加振力が発生し、冠雪を放出する。
起振機は図１に示すように、自然落下が困難な小さい屋根勾配を有するＡ側ゾーンに配置されているので、前記Ａゾーンの屋根勾配を２０゜とすると、大地面に対して２５゜の角度で下方に浮遊する冠雪を放出する。
【００３６】
放出された冠雪が自然落下できる屋根勾配を有するＢゾーンに至らない場合は再度加振力により放出される。
【００３７】
上述した作用を有効に実現するためには、なお、以下の諸条件を考慮する必要がある。
（１）条件
膜屋根の単位重量      ３．５ｋｇｆ／ｍ２
膜屋根上の積雪深さ    １０ｃｍ（積雪密度１ｋｇ／ｍ２／ｃｍ）
膜屋根の減衰定数      ２％
膜屋根上の静止摩擦係数  ０．３５
【００３８】
（２）冠雪の付着切り検討
【表１】
0003764619.tif 000002
【００３９】
（３）滑雪の検討
１０．８（ｍ）×６（ｍ）に１台の起振機が配置され、膜屋根の単位重量が３．５ｋｇｆ／ｍ２、ケーブルと起振機とを含めた合計単位重量を（１０＋３．５）ｋｇｆ／ｍ２とすると、有効質量は、
１０．８（ｍ）×６（ｍ）×（１０＋３．５）＝８７５ｋｇｆ
となる。
この有効質量８７５ｋｇｆと表１の水平、鉛直方向の加振力３８９ｋｇｆから、
水平と鉛直方向の加速度は、
（３８９／８７５）＝０．４４ｇ
となる。
よって、この加速度は、膜屋根上の静止摩擦係数０．３５より大きく、摩擦力ｆは、
ｆ＝８７５×０．３５＝３０６．２５ｋｇｆ
となり、この摩擦力ｆより大きい加振力３８９ｋｇｆを得る結果となる。
【００４０】
この第１実施の形態においては、屋根のドーム面である外面を形成するものは、布状物で説明しているが、これは金属板であってもよい。また、起振機を保持可能な強度を有するものであれば、金属板単体でドームを形成し、該金属板に起振機を取り付けることができる。
【００４１】
かかる実施の形態によると、急傾斜面に降る雪はその傾斜面により自然落下するが、緩傾斜面に降った雪は起振機の振動により前記ドーム面が振動し、該面と雪との付着力を減少させ、急傾斜面の方向に雪を放出することができる。
【００４２】
また、前記ドーム面の下側を急傾斜面とし、上側を緩傾斜面として構成している。
かかる技術手段によると、上側が緩傾斜面であることにより、建造物の高さを高くしなくても前記ドーム面下の必要容積を得ることができるとともに、上側の緩傾斜面部分に配置される起振機により放出される雪は、急傾斜面より高い位置から放出されるので、放出力に重力が加わりより容易に除雪される。
【００４３】
また、本実施の形態においては、前記起振機は、低振動数にて前記ドーム面に共振振動を与えて前記ドーム面と雪との付着を切断した後に、加振力が発生するように振動数を上げるように構成している。
かかる技術手段によると、まず低振動数にて前記ドーム面を振動させると、前記ドーム面を形成する部材が共振を起こすことにより前記ドーム面に付着する雪を面上から容易に剥することができる。しかる後に、振動数を上げて発生する加振力により雪を放出するので、面上から雪を剥離後短時間で雪を除去できる。よって、総合的に容易にかつ短時間で冠雪を剥離して除雪を行うことができる。
【００４４】
また、本実施の形態においては、前記ドーム面を形成する部材をケーブルにて保持するとともに、該ケーブルに前記起振機を取付て構成している。よって、ドーム面を形成する部材をケーブルに取付ているので、前記ドーム面は、該面で構成される建造物の強度を補償する必要はなく、また、起振機の振動による応力に耐える必要はなく、強度は弱いものでよい。
そして、ケーブルによって建造物を構成するので、全域に亙ってケーブルによって編み目状に空間を形成して構成されるので、鉄板によって全域を外部と遮断されることがないので、強度が大きい材料を多量に用いることがなく、隣合うケーブル間の空間は前記ドーム面を形成する部材で塞げばよいので、前記ドーム面に対して設計の自由度が増す。
【００４５】
次ぎに、起振機の代わりに引張・繰出手段を用いて屋根面を振動する第２実施の形態を説明する。図５は、本発明に係る第２実施の形態を示すドーム装置の外観模式図である。
図５（ａ）に示すように、ドーム機構１０Ａの屋根の所定位置に引張ロープ１６を取付て引張・繰出装置２０Ａによって該ロープ１６を所定量の引っ張りと繰り出しを繰り返すことで屋根を振動させて雪を除去する。
【００４６】
詳細は、図５（ｂ）に示すように、縦ケーブル３Ａには取付部材１４がＵボルト１２Ａにより取り付けられ、該取付部材１４にリング１５が固定されている。前記ケーブル３Ａの内側には本体膜６が配置され、ケーブル３Ａの外側にはケーブル３Ａをカバーするフラップ膜５が本体膜６の外側で貼着されている。
ドームの基部には手動のロープ繰出装置１７が配置され、該繰出装置１７はハンドル１８によりロープ１６を繰り出し、格納可能に構成され、ロープ１６はリング１５の開口孔に摺動自在に挿入され、ロープ１６の先端には継輪１９が固定されている。
【００４７】
引張・繰出装置２０Ａは、キャスタにより移動可能であって、内部にモータを有し、該モータの回転軸２１ａには回転板２１が固着され、該回転板２１にはピン２２が植設され、該ピン２２にはロープ１６の先端の継輪１９が係脱可能に構成されている。
よって、繰出装置１７により所定量ロープ１６を繰り出し、継輪１９をピン２２に掛けて繰出装置１７を逆動させてロープ１６を張った状態でロックし、引張・繰出装置２０Ａ内のモータが回転すると、回転するピン２２によって継輪１９が矢印方向に動き取付リング１５を介してケーブル３Ａが振動して、除雪を行う。
【００４８】
尚、前記取付リング１５は、取付部材として、紐状物（ロープ１６）の途中部分（図５（ｂ））を保持できるものであれば、フックを有していても、プーリであっても、各種の継手であってもよい。
また、継輪１９は取付片状ものであれば、所定振幅で往復動する装置２０Ａの相手方係合物に係合可能な各種の継手であってもよい。
【００４９】
本実施の形態においては、前記継輪１９を引いたり離したりすることで、前記取付リング１５を介して前記ドーム面を振動させることができ、前記ドーム面に付着する雪を面上から剥することができるとともに、振動により発生する加振力により雪を放出し、除雪を行うことができる。
そして、除雪を行わない場合は前記繰出装置１７により前記ロープを引いて、前記継輪１９を宙吊り状態で前記ロープを容易に保管することができる。
【００５０】
次ぎに、引張・繰出手段を用いて屋根面を振動する他の実施の形態を説明する。
第２実施の形態との相違点は、少なくとも２個の取付リング３３Ａ、３３Ｂを用いる点である。
図６（ａ）は、本発明に係る第３実施の形態を示すドーム装置の外観模式図であり、ドーム機構１０Ｂを形成する第１外面に取付られる取付リング３３Ａ、及び第２外面に取付られる３３Ｂは、ドーム機構１０Ｂを形成する図示しないケーブルに取付られている。尚、ケーブル、本体膜、取付部材等の構成は図５（ｂ）に開示した構成と同じである。
【００５１】
図６（ａ）において、引張・繰出装置２０Ｂはドームの基部に配置され、該引張・繰出装置２０Ｂからロープ１６が取付リング３３Ｂに摺動自在に挿入され、ロープ１６の先端に取り付けられたフック２３は取付リング３３Ａに係合している。
よって、前記ロープ１６の基部を、ドーム基部に配置された引張・繰出装置２０Ｂに取付ているので、前記第１外面（３３Ａ側）を振動させるに適した角度位置から、引張・繰出装置２０Ｂを駆動してフック２３を引いたり離したりすることでドームの前記取付リング３３Ａ側の外面を振動させて除雪を行うことができる。
【００５２】
図６（ｂ）は、本発明に係る第４実施の形態を示すドーム装置の外観模式図である。ドーム１０Ｂを形成する第１外面に取付られる取付リング３３Ａ、及び第２外面に取付られる３３Ｂは、ドーム１０Ｂを形成する図示しないケーブルに取付られている。尚、ケーブル、本体膜、取付部材等の構成は図５（ｂ）に開示した構成と同じである。
そして、前記外面を形成する部材の下方内側に往復運動部材を有した引張・繰出手段２０Ｂを備え、前記ロープ１６の一端にフック２３、他端に前記往復運動部材（ピン２２）と係脱可能な継輪１９を配設することにより、可動式の引張・繰出手段（２０Ａ）を適した角度位置に置くことにより、第１取付手段（３３Ａ側）とともに、第２取付手段（３３Ｂ側）を共に振動することができる。
【００５３】
本実施の形態は、前記ロープの他端を引いたり離したりすることで、前記取付リングを介して前記ドーム面を振動させることができ、前記ドーム面に付着する雪を面上から剥することができるとともに、振動により発生する加振力により雪を放出し、除雪を行うことができる。
【００５４】
次ぎに、積雪が可能なドーム面の雪を摺擦させて、該面と雪との付着力を減少させる実施の形態を説明する。図７は、本発明に係る第５実施の形態を示すドーム装置の外観図、図８は、図７の平面模式図である。
図７において、縦ケーブル３Ａの外側には本体膜６が図示しない方法で取付られ、本体膜６の外側には本体膜６と摺接するようにワイヤ２６が配置される。このワイヤ２６がドーム１０Ｃの外側に配置された引張・繰出手段２８Ａ、２８Ｂにより積雪層を摺擦することにより冠雪を切断して除雪することができる。
【００５５】
Ｄ部に示すように、ドーム外面上においてワイヤ２６の位置決めをするガイド２４Ａが、本体膜６を挟んでＵボルト１２Ｂ、１２Ｂで固着されている。
ガイド２４Ａにはガイド溝２４Ａａが形成されているので、該溝２４Ａａにはワイヤ２６が入るために、ガイド２４Ａの近傍では本体膜６の表面と溝２４Ａａの底部との間にＲの間隙が生じるが、引張・繰出手段２８Ａ、２８Ｂ側には、押さえプーリ２７、２７が配置されているので、ガイド２４Ａから押さえプーリ２７に至る大部分は本体膜６の表面と接触している。
また、ドーム機構１０Ｃの上部側の屋根勾配が小さい部分には、ケーブル３Ａには起振機２が固着されている。
【００５６】
本実施の形態は、このように構成されているので、引張・繰出手段２８Ａ、２８Ｂを同期を取ってワイヤ２６を引っ張ったり、繰り出したりすることで積雪して冠雪した雪層を摺擦することによって、本体膜６の外面と雪との付着力を減少させることができる。
そして、積雪した雪層を前記ワイヤ部材によって、該ワイヤ部材の延設方向にそって往復動して摺擦動作を続けることで、雪層を前記外面から切断することができる。
【００５７】
その後、起振機２を振動させることによって、振動により発生する加振力により雪を放出し、除雪を行うことができることは第１実施の形態においてすでに上述した。
【００５８】
次ぎに、ワイヤ部材を、ドーム状に形成された外面上を下方から上方に向かって巻回した第６実施の形態を説明する。図９は、第６実施の形態を示すドーム装置の外観図である。
同図において、ドーム機構１０Ｄの下方の外面に引張・繰出手段２８Ｂからローラガイド３２を介してワイヤ２６が螺旋状に上方に向かって巻回し、該ワイヤ２６は途中、ワイヤガイド２４Ｂにより位置設定されて、屋根勾配が急な部分の上部限界位置まで螺旋状に巻回し、開口部３０ａからドーム１０Ｄの内部に入り、開口部３０ｂからドーム外部に出て、ローラガイド３２を介して引張・繰出手段２８Ａに連結されている。
【００５９】
また、前記ワイヤガイド２４Ｂ及び起振機２は、すでに第５実施の形態において述べた形状及び取付構成を有している。
【００６０】
本実施の形態によると、ドームの形状に沿ってワイヤが配置されるので、簡単な構成でワイヤの方向変換の程度を大きくしないで、ワイヤをドーム状面に配置することができる。
【００６１】
本実施の形態は、このように構成しているので、引張・繰出手段２８Ａ、２８Ｂを同期を取ってワイヤ２６を引っ張ったり、繰り出したりすることで積雪して冠雪した雪層を摺擦することによって、本体膜６の外面と雪との付着力を減少させることができる。
そして、積雪した雪層を前記ワイヤ部材２６によって、該ワイヤ部材の延設方向にそって往復動して摺擦することを続けることで、雪層を前記外面から切断することができる。
【００６２】
その後、起振機２を振動させることによって、振動により発生する加振力により雪を放出し、除雪を行うことができることは第１実施の形態においてすでに上述した。
【００６３】
かかる第６実施の形態は、ドーム面である前記外面の上方部分を前記起振機の振動により、下方部分を前記ワイヤ部材の前記外面上での往復移動により、雪の付着力を減少させるので、冠雪の除雪をより容易に行うことができる。
尚、本実施の形態においても、ケーブルを用いず、前記外面を金属板で構成し、該金属板に前記起振機及び、前記ガイド部材を取付て構成することができる。
また、第１実施の形態と第５実施の形態とを組み合わせているので、これらにおいて説明した作用効果と同じ作用効果を有する。
【００６４】
【発明の効果】
以上詳述したように、本発明は、ドーム面である外面を振動させ前記外面と冠雪との付着を切断して積雪を浮遊状態とすることができる。
また、浮遊状態とした積雪を起振手段により下方に放出するので緩傾斜面の積雪も容易に除雪することができる。
また、摺擦手段により積雪層を摺擦する場合は、冠雪を分断し自然落下を促進させることができる。
【００６５】
また、本発明は、ドーム面である外面を部分的に緩急を設けた傾斜面に形成するとともに、緩傾斜面を形成する前記外面の内側に起振手段を設けた場合は、急傾斜面に降る雪はその傾斜面により自然落下するが、緩傾斜面に降った雪は起振手段の振動により前記外面が振動し、該面と雪との付着力を切断して、急傾斜面の方向に雪を放出し、除雪を行うことができる。
【００６６】
また、本発明は、ドーム面である外面をドーム状に形成し、前記外面上方部分に作用する一もしくは複数の起振手段を設け、該ドーム面に地上支持部より往復動可能な摺擦部材を巻回することにより、前記ドーム面の上方部分を前記起振手段の振動により、下方部分を前記ワイヤ部材の前記ドーム面上での往復移動により、雪の付着力を減少させるので、冠雪の除雪をより容易に行うことができる。
【図面の簡単な説明】
【図１】  本発明に係る第１実施の形態を示すドーム装置の外観図である。
【図２】  ドーム装置を構成するケーブルの取り付ける膜及び起振機の取付構成図である。
【図３】  （ａ）は図２のＣ−Ｃ断面図、（ｂ）は（ａ）の起振機の左側面図（ｃ）は（ａ）の起振機の右側面図である。
【図４】  起振機の動作を説明する説明図である。
【図５】  本発明に係る第２実施の形態を示すドーム装置の外観模式図である。
【図６】  （ａ）は本発明に係る第３実施の形態を示すドーム装置の外観模式図、（ｂ）は本発明に係る第４実施の形態を示すドーム装置の外観模式図である。
【図７】  本発明に係る第５実施の形態を示すドーム装置の外観図である。
【図８】  図７の平面模式図である。
【図９】  本発明に係る第６実施の形態を示すドーム装置の外観図である。
【符号の説明】
１                  ドーム機構（１Ａ、１Ｂ）
２                  起振機
３Ａ                縦ケーブル
３Ｂ                横ケーブル
【図１】
0003764619.tif 000003
【図２】
0003764619.tif 000004
【図３】
0003764619.tif 000005
【図４】
0003764619.tif 000006
【図５】
0003764619.tif 000007
【図６】
0003764619.tif 000008
【図７】
0003764619.tif 000009
【図８】
0003764619.tif 000010
【図９】
0003764619.tif 000011